【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】  顕微鏡観察像と、画像素子手段に表示された画像とを同時に観察できるようにした実体顕微鏡において、顕微鏡観察像と画像表示手段に表示された画像を観察者の眼へ別々に導く二種類の接眼光学系を設けたことを特徴とする実体顕微鏡。
【請求項２】  顕微鏡観察像と、画像表示手段に表示された画像とを同時に観察できるようにした実体顕微鏡において、顕微鏡本体部内に、画像表示手段と、該画像表示手段に表示された画像から出射した光束を顕微鏡観察像を観察する観察者の瞳孔に顕微鏡観察像を拡大観察するための接眼光学系を介さずに入射させて該観察者に前記画像表示手段に表示された画像の拡大像を観察させる第一の光学系と、画像表示手段に表示された画像から出射した光束を顕微鏡光学系内へ挿入して顕微鏡観察像の結像位置に重ねて結像させる第二の光学系及び顕微鏡観察像の一部を遮光してその遮光範囲内に画像表示手段に表示された画像から出射した光束を結像させる第三の光学系の何れか一方または両方とを備えたことを特徴とする実体顕微鏡。
【請求項３】  顕微鏡観察像と前記画像とを欠けることなく同時に観察することが出来るアイポイントを有することを特徴とする請求項１に記載の実体顕微鏡。
【請求項４】  前記画像を観察者の眼へ導く接眼光学系は顕微鏡観察像を観察者の眼へ導く接眼光学系の射出瞳径の少なくとも二倍の射出瞳径を有していることを特徴とする請求項３に記載の実体顕微鏡。
【請求項５】  画像表示手段と前記画像を観察者の眼へ導く接眼光学系を一つのハウジング内に配置し、該ハウジングを顕微鏡鏡体部に対し着脱可能としたことを特徴とする請求項１に記載の実体顕微鏡。
【請求項６】  顕微鏡観察像を観察者の眼へ導く接眼光学系と画像表示手段に表示された画像を観察者の眼へ導く接眼光学系の射出瞳径をＰ、前記両接眼光学系の光軸のなす角をαとしたとき、Ｐ＞２０sin α−２なる条件を満たすことを特徴とする請求項３に記載の実体顕微鏡。
【請求項７】  顕微鏡観察像を観察者の眼へと導く接眼光学系から射出する光軸と、画像表示手段に表示された画像を観察者の眼へと導く接眼光学系から射出する光軸を互いに交差するよう配置し、かつ、互いの接眼光学系のそれぞれの射出瞳を、互いの接眼光学系の光軸の交点より接眼光学系寄りに配置したことを特徴とする請求項１に記載の実体顕微鏡。
【請求項８】  顕微鏡観察像を観察者の眼へと導く接眼光学系と、画像表示手段に表示された画像を観察者の眼へと導く接眼光学系は、いずれも、射出瞳を配置する位置が次の条件式(1)を満たすことを特徴とする請求項７に記載の実体顕微鏡。
３≦Ｌ≦２５                                        ……(1)
但し、Ｌは顕微鏡観察像を観察者の眼へと導く接眼光学系の光軸と画像表示手段に表示された画像を観察者の眼へと導く接眼光学系の光軸との交点からそれぞれの射出瞳までの距離を示す。
【請求項９】  顕微鏡観察像を観察者の眼へと導く接眼光学系と画像表示手段に表示された画像を観察者の眼へと導く接眼光学系のうちのいずれか一方の接眼光学系の射出瞳径が次の条件式(2)を満たし、他方の接眼光学系の射出瞳径が次の条件式(3)を満たしていることを特徴とする請求項７に記載の実体顕微鏡。
６ＳＩＮθ≦φ≦５０ＳＩＮθ                        ……(2)
０＜φ' ＜ＬＳＩＮ（θ／２）                        ……(3)
但し、φは顕微鏡観察像を観察者の眼へと導く接眼光学系と画像表示手段に表示された画像を観察者の眼へと導く接眼光学系のうちのいずれか一方の接眼光学系の射出瞳径、φ' は他方の接眼光学系の射出瞳径、θは顕微鏡観察像を観察者の眼へと導く接眼光学系から射出する光軸と画像表示手段に表示された画像を観察者の眼へと導く接眼光学系から射出する光軸とのなす角度、Ｌは互いの接眼光学系の光軸の交点からそれぞれの射出瞳までの距離を示す。
【請求項１０】  顕微鏡観察像を観察者の眼へと導く接眼光学系と画像表示手段に表示された画像を観察者の眼へと導く接眼光学系の両方の接眼光学系の射出瞳径が次の条件式(4)を満たしていることを特徴とする請求項７に記載の実体顕微鏡。
６ＳＩＮθ≦φ'' ≦５０ＳＩＮθ                     ……(4)
但し、φ'' は両方の接眼光学系の射出瞳径、θは顕微鏡観察像を観察者の眼へと導く接眼光学系から射出する光軸と画像表示手段に表示された画像を観察者の眼へと導く接眼光学系から射出する光軸とのなす角度を示す。
【請求項１１】  顕微鏡観察像を観察者の眼へと導く接眼光学系から射出する光軸と画像表示手段に表示された画像を観察者の眼へと導く接眼光学系から射出する光軸とのなす角度が次の条件式(5)を満たすことを特徴とする請求項７に記載の実体顕微鏡。
２０°≦θ≦８０°                                  ……(5)
但し、θは顕微鏡観察像を観察者の眼へと導く接眼光学系から射出する光軸と画像表示手段に表示された画像を観察者の眼へと導く接眼光学系から射出する光軸とのなす角度を示す。
【請求項１２】  画像表示手段に表示された画像を観察者の眼へと導く接眼光学系のアイレリーフは、顕微鏡観察像を観察者の眼へと導く接眼光学系のアイレリーフよりも長いことを特徴とする請求項１に記載の実体顕微鏡。
【請求項１３】  顕微鏡観察像を観察者の眼へと導く接眼光学系と画像表示手段に表示された画像を観察者の眼へと導く接眼光学系の両方の接眼光学系の射出瞳径が、次の条件式(6)を満たしていることを特徴とする請求項７に記載の実体顕微鏡。
０＜φ''' ＜ＬＳＩＮ（θ／２）                      ……(6)
但し、φ''' は両方の接眼光学系の射出瞳径、θは顕微鏡観察像を観察者の眼へと導く接眼光学系から射出する光軸と画像表示手段に表示された画像を観察者の眼へと導く接眼光学系から射出する光軸とのなす角度、Ｌは互いの接眼光学系の光軸の交点からそれぞれの射出瞳までの距離を示す。
【請求項１４】  画像表示手段に表示された画像を観察者の眼へと導く接眼光学系が、イエンチ式眼幅調整機構を有する双眼鏡筒の、顕微鏡観察像を観察者の眼へと導く接眼光学系を保持するメカ枠に一体となって保持されていることを特徴とする請求項１に記載の実体顕微鏡。
【請求項１５】  顕微鏡観察像を観察者の眼へと導く接眼光学系と画像表示手段に表示された画像を観察者の眼へと導く接眼光学系のうちの少なくともいずれか一方の射出瞳の大きさを可変にする機構を有していることを特徴とする請求項１に記載の実体顕微鏡。
【請求項１６】  画像表示手段に表示された画像を、画像表示手段に表示された画像を観察者の眼へと導く接眼光学系に導く画像投影光学系を有し、前記画像投影光学系は、コリメート光学系と結像光学系とからなり、前記コリメート光学系は、画像表示手段に表示された画像から射出する光束をコリメートしてアフォーカル光束とし、前記結像光学系は、前記コリメート光学系より射出するアフォーカル光束を画像表示手段に表示された画像を観察者の眼へと導く接眼光学系の接眼像面に結像し、かつ、該結像光学系は、その開口が少なくとも前記アフォーカル光束を取り込める範囲内で移動することを特徴とする請求項１に記載の実体顕微鏡。
【請求項１７】  顕微鏡観察像を観察者の眼へと導く実体顕微鏡接眼光学系と、画像表示手段に表示した画像を観察者の眼へと導く画像観察用接眼光学系とを有し、前記画像観察用接眼光学系と、画像表示手段と、前記実体顕微鏡接眼光学系とを共に実体顕微鏡接眼光学系の射出光軸方向に同時に移動可能に構成したことを特徴とする請求項１に記載の実体顕微鏡。
【請求項１８】  顕微鏡観察像を観察者の眼へと導く実体顕微鏡接眼光学系と、画像表示手段に表示した画像を観察者の眼へと導く画像観察用接眼光学系とを有し、前記画像観察用接眼光学系は、前記実体顕微鏡接眼光学系の射出光軸と平行な光軸を画像表示手段との間に少なくとも一部有し、この前記実体顕微鏡接眼光学系の射出光軸と平行な光軸よりも観察者の眼側に配置された画像観察用接眼光学系と、実体顕微鏡接眼光学系とを共に、実体顕微鏡接眼光学系の射出光軸方向に同時に移動可能に構成したことを特徴とする請求項１に記載の実体顕微鏡。
【請求項１９】  顕微鏡観察像を観察者の眼へと導く実体顕微鏡接眼光学系の視度を−１（１／ｍ）にしたときに、画像表示手段に表示した画像を観察者の眼へと導く画像観察用接眼光学系の視度が次の条件式(7)を満たすように、画像観察用接眼光学系と、実体顕微鏡接眼光学系とを一体で構成したことを特徴とする請求項１８に記載の実体顕微鏡。
−２（１／ｍ）≦Ｓ≦０（１／ｍ）                    ……(7)
但し、Ｓは実体顕微鏡接眼光学系の視度を−１（１／ｍ）にしたときの画像観察用接眼光学系の視度を示す。
【請求項２０】  顕微鏡観察像を観察者の眼へと導く実体顕微鏡接眼光学系の焦点距離と、画像表示手段に表示した画像を観察者の眼へと導く画像観察用接眼光学系の焦点距離とが次の条件式(8)を満たしていることを特徴とする請求項１９に記載の実体顕微鏡。
０．４≦Ｆｂ2／Ｆａ2≦１．６                        ……(8)
但し、Ｆａは実体顕微鏡接眼光学系の焦点距離、Ｆｂは画像観察用接眼光学系の焦点距離をそれぞれ示す。
【請求項２１】  顕微鏡観察像を観察者の眼へと導く実体顕微鏡接眼光学系の視度を−１（１／ｍ）にしたときに、画像表示手段に表示した画像を観察者の眼へと導く画像観察用接眼光学系の視度も−１（１／ｍ）になるように、画像観察用接眼光学系と実体顕微鏡接眼光学系とを一体で構成し、かつ、実体顕微鏡接眼光学系の焦点距離と画像観察用接眼光学系の焦点距離とが一致していることを特徴とする請求項１８に記載の実体顕微鏡。
【請求項２２】  前記顕微鏡観察像が、顕微鏡観察像を表示する画像表示手段に表示された画像であることを特徴とする請求項１７に記載の実体顕微鏡。
【手続補正２】
【補正対象書類名】明細書
【補正対象項目名】０００７
【補正方法】変更
【補正の内容】
【０００７】
また、本発明による実体顕微鏡は、顕微鏡観察像と、画像表示手段に表示された画像とを同時に観察できるようにした実体顕微鏡において、顕微鏡本体部内に、画像表示手段と、該画像表示手段に表示された画像から出射する光束を顕微鏡観察像を観察する観察者の瞳孔に顕微鏡画像を拡大観察するための接眼光学系を介さずに入射させて観察者に前記画像表示手段に表示された画像の拡大像を観察させる第一の光学系と、画像表示手段に表示された画像から出射する光束を顕微鏡光学系内へ挿入させて顕微鏡観察像の結像位置に重ねて結像させる第二の光学系及び顕微鏡観察像の一部を遮光してその遮光範囲内に画像表示手段に表示された画像から射出する光束を結像させる第三の光学系の何れか一方または両方とを備えたことを特徴としている。
また、本発明による実体顕微鏡は、顕微鏡観察像と前記画像とを欠けることなく同時に観察することが出来るアイポイントを有することを特徴としている。
また、本発明による実体顕微鏡は、前記画像を観察者の眼へ導く接眼光学系は顕微鏡観察像を観察者の眼へ導く接眼光学系の射出瞳径の少なくとも二倍の射出瞳径を有していることを特徴としている。
また、本発明による実体顕微鏡は、画像表示手段と前記画像を観察者の眼へ導く接眼光学系を一つのハウジング内に配置し、該ハウジングを顕微鏡鏡体部に対し着脱可能としたことを特徴としている。
また、本発明による実体顕微鏡は、顕微鏡観察像を観察者の眼へ導く接眼光学系と画像表示手段に表示された画像を観察者の眼へ導く接眼光学系の射出瞳径をＰ、前記両接眼光学系の光軸のなす角をαとしたとき、Ｐ＞２０sin α−２なる条件を満たすことを特徴としている。
また、本発明による実体顕微鏡は、顕微鏡観察像を観察者の眼へと導く接眼光学系から射出する光軸と、画像表示手段に表示された画像を観察者の眼へと導く接眼光学系から射出する光軸を互いに交差するよう配置し、かつ、互いの接眼光学系のそれぞれの射出瞳を、互いの接眼光学系の光軸の交点より接眼光学系寄りに配置したことを特徴としている。
また、本発明による実体顕微鏡は、顕微鏡観察像を観察者の眼へと導く接眼光学系と、画像表示手段に表示された画像を観察者の眼へと導く接眼光学系は、いずれも、射出瞳を配置する位置が次の条件式(1)を満たすことを特徴としている。
３≦Ｌ≦２５                                        ……(1)
但し、Ｌは顕微鏡観察像を観察者の眼へと導く接眼光学系の光軸と画像表示手段に表示された画像を観察者の眼へと導く接眼光学系の光軸との交点からそれぞれの射出瞳までの距離を示す。
また、本発明による実体顕微鏡は、顕微鏡観察像を観察者の眼へと導く接眼光学系と画像表示手段に表示された画像を観察者の眼へと導く接眼光学系のうちのいずれか一方の接眼光学系の射出瞳径が次の条件式(2)を満たし、他方の接眼光学系の射出瞳径が次の条件式(3)を満たしていることを特徴としている。
６ＳＩＮθ≦φ≦５０ＳＩＮθ                        ……(2)
０＜φ' ＜ＬＳＩＮ（θ／２）                        ……(3)
但し、φは顕微鏡観察像を観察者の眼へと導く接眼光学系と画像表示手段に表示された画像を観察者の眼へと導く接眼光学系のうちのいずれか一方の接眼光学系の射出瞳径、φ' は他方の接眼光学系の射出瞳径、θは顕微鏡観察像を観察者の眼へと導く接眼光学系から射出する光軸と画像表示手段に表示された画像を観察者の眼へと導く接眼光学系から射出する光軸とのなす角度、Ｌは互いの接眼光学系の光軸の交点からそれぞれの射出瞳までの距離を示す。
また、本発明による実体顕微鏡は、顕微鏡観察像を観察者の眼へと導く接眼光学系と画像表示手段に表示された画像を観察者の眼へと導く接眼光学系の両方の接眼光学系の射出瞳径が次の条件式(4)を満たしていることを特徴としている。
６ＳＩＮθ≦φ'' ≦５０ＳＩＮθ                     ……(4)
但し、φ'' は両方の接眼光学系の射出瞳径、θは顕微鏡観察像を観察者の眼へと導く接眼光学系から射出する光軸と画像表示手段に表示された画像を観察者の眼へと導く接眼光学系から射出する光軸とのなす角度を示す。
また、本発明による実体顕微鏡は、顕微鏡観察像を観察者の眼へと導く接眼光学系から射出する光軸と画像表示手段に表示された画像を観察者の眼へと導く接眼光学系から射出する光軸とのなす角度が次の条件式(5)を満たすことを特徴としている。
２０°≦θ≦８０°                                  ……(5)
但し、θは顕微鏡観察像を観察者の眼へと導く接眼光学系から射出する光軸と画像表示手段に表示された画像を観察者の眼へと導く接眼光学系から射出する光軸とのなす角度を示す。
また、本発明による実体顕微鏡は、画像表示手段に表示された画像を観察者の眼へと導く接眼光学系のアイレリーフは、顕微鏡観察像を観察者の眼へと導く接眼光学系のアイレリーフよりも長いことを特徴としている。
また、本発明による実体顕微鏡は、顕微鏡観察像を観察者の眼へと導く接眼光学系と画像表示手段に表示された画像を観察者の眼へと導く接眼光学系の両方の接眼光学系の射出瞳径が、次の条件式(6)を満たしていることを特徴としている。
０＜φ''' ＜ＬＳＩＮ（θ／２）                      ……(6)
但し、φ''' は両方の接眼光学系の射出瞳径、θは顕微鏡観察像を観察者の眼へと導く接眼光学系から射出する光軸と画像表示手段に表示された画像を観察者の眼へと導く接眼光学系から射出する光軸とのなす角度、Ｌは互いの接眼光学系の光軸の交点からそれぞれの射出瞳までの距離を示す。
また、本発明による実体顕微鏡は、画像表示手段に表示された画像を観察者の眼へと導く接眼光学系が、イエンチ式眼幅調整機構を有する双眼鏡筒の、顕微鏡観察像を観察者の眼へと導く接眼光学系を保持するメカ枠に一体となって保持されていることを特徴としている。
また、本発明による実体顕微鏡は、顕微鏡観察像を観察者の眼へと導く接眼光学系と画像表示手段に表示された画像を観察者の眼へと導く接眼光学系のうちの少なくともいずれか一方の射出瞳の大きさを可変にする機構を有していることを特徴としている。
また、本発明による実体顕微鏡は、画像表示手段に表示された画像を、画像表示手段に表示された画像を観察者の眼へと導く接眼光学系に導く画像投影光学系を有し、前記画像投影光学系は、コリメート光学系と結像光学系とからなり、前記コリメート光学系は、画像表示手段に表示された画像から射出する光束をコリメートしてアフォーカル光束とし、前記結像光学系は、前記コリメート光学系より射出するアフォーカル光束を画像表示手段に表示された画像を観察者の眼へと導く接眼光学系の接眼像面に結像し、かつ、該結像光学系は、その開口が少なくとも前記アフォーカル光束を取り込める範囲内で移動することを特徴としている。
また、本発明による実体顕微鏡は、顕微鏡観察像を観察者の眼へと導く実体顕微鏡接眼光学系と、画像表示手段に表示した画像を観察者の眼へと導く画像観察用接眼光学系とを有し、前記画像観察用接眼光学系と、画像表示手段と、前記実体顕微鏡接眼光学系とを共に実体顕微鏡接眼光学系の射出光軸方向に同時に移動可能に構成したことを特徴としている。
また、本発明による実体顕微鏡は、顕微鏡観察像を観察者の眼へと導く実体顕微鏡接眼光学系と、画像表示手段に表示した画像を観察者の眼へと導く画像観察用接眼光学系とを有し、前記画像観察用接眼光学系は、前記実体顕微鏡接眼光学系の射出光軸と平行な光軸を画像表示手段との間に少なくとも一部有し、この前記実体顕微鏡接眼光学系の射出光軸と平行な光軸よりも観察者の眼側に配置された画像観察用接眼光学系と、実体顕微鏡接眼光学系とを共に、実体顕微鏡接眼光学系の射出光軸方向に同時に移動可能に構成したことを特徴としている。
また、本発明による実体顕微鏡は、顕微鏡観察像を観察者の眼へと導く実体顕微鏡接眼光学系の視度を−１（１／ｍ）にしたときに、画像表示手段に表示した画像を観察者の眼へと導く画像観察用接眼光学系の視度が次の条件式(7)を満たすように、画像観察用接眼光学系と、実体顕微鏡接眼光学系とを一体で構成したことを特徴としている。
−２（１／ｍ）≦Ｓ≦０（１／ｍ）                    ……(7)
但し、Ｓは実体顕微鏡接眼光学系の視度を−１（１／ｍ）にしたときの画像観察用接眼光学系の視度を示す。
また、本発明による実体顕微鏡は、顕微鏡観察像を観察者の眼へと導く実体顕微鏡接眼光学系の焦点距離と、画像表示手段に表示した画像を観察者の眼へと導く画像観察用接眼光学系の焦点距離とが次の条件式(8)を満たしていることを特徴としている。
０．４≦Ｆｂ2／Ｆａ2≦１．６                        ……(8)
但し、Ｆａは実体顕微鏡接眼光学系の焦点距離、Ｆｂは画像観察用接眼光学系の焦点距離をそれぞれ示す。
また、本発明による実体顕微鏡は、顕微鏡観察像を観察者の眼へと導く実体顕微鏡接眼光学系の視度を−１（１／ｍ）にしたときに、画像表示手段に表示した画像を観察者の眼へと導く画像観察用接眼光学系の視度も−１（１／ｍ）になるように、画像観察用接眼光学系と実体顕微鏡接眼光学系とを一体で構成し、かつ、実体顕微鏡接眼光学系の焦点距離と画像観察用接眼光学系の焦点距離とが一致していることを特徴としている。
更に、本発明による実体顕微鏡は、前記顕微鏡観察像が、顕微鏡観察像を表示する画像表示手段に表示された画像であることを特徴としている。